(57)【特許請求の範囲】
【請求項１】
カリウム含有水耕液で葉物野菜を一定期間栽培し、その後低カリウム栽培期用水耕液に代えて栽培する低カリウム葉物野菜を栽培する方法において、
低カリウム栽培期用水耕液はカリウムを５〜５０ｐｐｍ含有し、
ＥＣ値は、カリウム含有栽培期間、低カリウム栽培期間を通じ、０．５〜１．８に調整して栽培することを特徴とする低カリウム葉物野菜を栽培する方法。
【請求項２】
請求項１記載の低カリウム葉物野菜を栽培する方法において、
低カリウム栽培期用水耕液はナトリウムを２０〜４００ｐｐｍ含有することを特徴とする低カリウム葉物野菜を栽培する方法。
【請求項３】
請求項１又は２記載の低カリウム葉物野菜を栽培する方法において、
水耕液のｐＨは、カリウム含有栽培期間、低カリウム栽培期間を通じ、５．０〜７．０に調整することを特徴とする低カリウム葉物野菜を栽培する方法。
【請求項４】
請求項１〜３いずれか１項記載の低カリウム葉物野菜を栽培する方法において、
全栽培期間を通して、連続して水耕液のＥＣ値及びｐＨを一定に調整して栽培することを特徴とする低カリウム葉物野菜を栽培する方法。
【請求項５】
請求項１〜４いずれか１項記載の低カリウム葉物野菜を栽培する方法において、
低カリウム栽培期用水耕液で栽培する期間を１０日〜１７日とすることを特徴とする低カリウム葉物野菜を栽培する方法。
【発明の詳細な説明】
【技術分野】
【０００１】
本発明は、低カリウム含有葉物野菜及びその栽培方法に関する。特に低カリウムレタス及びその栽培方法に関する。
【背景技術】
【０００２】
近年、植物工場で栽培する高付加価値野菜として、低カリウム野菜の栽培が脚光を浴びている。人口透析患者、慢性腎臓病患者等、医師からカリウム摂取制限を受けている患者数はわが国だけでも３０万人程度はいると言われており、低カリウム野菜の潜在的な需要が高かった。そのため、低カリウム野菜が注目されていると考えられる。【０００３】
カリウムは植物の三大栄養素の一つとして古くから知られており、植物の成長には必須であり、野菜には必ず含まれている。そのため、カリウム摂取制限を受けている患者や、医療関係者からカリウム含有量の少ない野菜の提供が望まれている。【０００４】
今までに、カリウム含有量の少ない野菜を提供する方法として、低カリウムホウレンソウや葉菜を栽培する方法が開示されてきた（例えば、特許文献１〜３）。【０００５】
先行技術文献によれば、カリウム含有水耕液で栽培し、その後カリウムを全く含まず、代わりにナトリウムを入れたカリウム不含有水耕液、あるいはカリウム及びナトリウムを配合しない水耕液を用いて栽培することによって低カリウム含有量の野菜を実現していた。例えば、下記特許文献１には、カリウム含有水耕液、カリウム不含有水耕液で栽培する期間を特定し、低カリウムホウレンソウを栽培する方法が開示されている。
【先行技術文献】
【特許文献】
【０００６】
【特許文献１】特開２００８−６１５８７号公報
【特許文献２】特開２０１１−３６２２６号公報
【特許文献３】特開２０１２−１８３０６２号公報
【発明の概要】
【発明が解決しようとする課題】
【０００７】
上記先行技術文献に開示されている方法は、研究室レベルでは含有量の少ない低カリウム野菜の栽培に成功している。しかしながら、栽培条件を忠実に再現しているにもかかわらず、植物工場のように大規模水耕栽培を行った場合には、カリウム含有量の少ない葉物野菜を安定して収穫することができなかった。【０００８】
上記先行技術文献に記載されている低カリウム野菜の水耕栽培では、栽培期間後半はカリウムをナトリウムに代替した水耕液を用いて栽培する。しかしながら、カリウムは前述のように植物の三大栄養素であり、植物の生育には必須の栄養素であることから、葉の変色、根腐れ等のカリウム欠乏症による生育障害が生じ、重量、丈等の小さい野菜しか収穫できず、出荷基準に満たない不良品が生じることも多かった。【０００９】
例えばリーフレタスの場合には、カリウム不含有水耕液で栽培した場合には、収穫時の草丈、重量の減少といった生育障害が起こり、葉の黄変等により、数％〜数１０％程度の不良品が生じていた。【００１０】
そのため大規模水耕栽培では、収穫した野菜のカリウム値は、通常栽培の１／３〜１／４程度の低い値を常に維持することは勿論であるが、丈や重量、葉の黄変のような出荷基準に満たない不良品をいかに少なくするかが生産性のうえで重要な課題となっていた。
【課題を解決するための手段】
【００１１】
本発明は、低カリウム葉物野菜を栽培する方法において、カリウム含有水耕液で葉物野菜を一定期間栽培し、その後カリウムを含有した低カリウム栽培期用水耕液に代えて栽培することを特徴とする。【００１２】
従来、低カリウム葉物野菜を栽培する場合は、水耕栽培期後半は、全くカリウムを含有しない水耕液によって栽培が行われていた。これに対し、本願発明では微量のカリウムを後半の栽培期に含有させている。この栽培方法によれば、野菜に含まれるカリウム量を低値に抑えつつ、重量、丈、葉の黄変のようなカリウム障害を生じることがない。【００１３】
本発明は、カリウム含有水耕液で葉物野菜を一定期間栽培し、その後低カリウム栽培期用水耕液に代えて栽培する低カリウム葉物野菜を栽培する方法において、低カリウム栽培期用水耕液中にカリウムを５〜５０ｐｐｍ含有させることを特徴とする。【００１４】
従来、低カリウム野菜を栽培する場合には、後半の栽培期間の水耕液は、カリウムを全く含まず、代替としてナトリウムを含有した水耕液が用いられていた。しかしながら、カリウム欠乏症による葉の黄変、根腐れのような生育障害が生じることが多かった。カリウム欠乏症が生じた葉物野菜は、カリウム量は低いものの、葉の黄変だけではなく、重量、丈不足のため商品として販売することはできなかった。【００１５】
また、カリウムを含まない水耕液で栽培する期間を短くすることによって、野菜にカリウム欠乏症が生じる前に収穫することも試みた。後半のカリウムを含まない水耕液で栽培する期間を短くすることにより、重量、丈の不足を生じにくくなるものの野菜中のカリウム量を安定して低い値にすることができないという問題が生じていた。【００１６】
そこで、大規模水耕栽培において安定した低カリウムレベルを実現でき、かつ、カリウム欠乏症による生育障害が生じず、高品質の葉物野菜として出荷可能な栽培条件の検討を行った。その結果、従来はカリウムを全く含有させないで栽培していた栽培後期の水耕液に、ごく微量のカリウムを積極的に入れて栽培することにより、カリウム欠乏症は生じず、しかも収穫時のカリウム値は安定して低濃度で収穫できる栽培条件を見出した。【００１７】
栽培品種や溶液の管理方法によって異なるが、５〜５０ｐｐｍ濃度になるようにカリウムを含有させた水耕液で栽培することにより、安定した品質の低カリウム葉物野菜を栽培できることを見出した。この濃度であれば、収穫時の葉物野菜は低カリウム状態を維持でき、葉の黄変等の生育障害も生じないだけではなく、草丈、重量等も十分な作物を収穫することが可能である。【００１８】
カリウム濃度が５ｐｐｍより少ない場合には、カリウム欠乏症による生育障害が生じる頻度が高く、また、カリウム濃度が５０ｐｐｍより多い場合には、収穫時の葉物野菜のカリウム値が高くなる場合がある。【００１９】
本発明の低カリウム葉物野菜を栽培する方法は、低カリウム栽培期用水耕液中にさらにナトリウムを２０〜４００ｐｐｍ含有させることを特徴とする。【００２０】
カリウムの一部代替として２０〜４００ｐｐｍのナトリウムを添加した水耕液で低カリウム栽培期に栽培しても、栽培した作物のナトリウム値はさほど上昇することはない。【００２１】
ナトリウム濃度が２０ｐｐｍより少ない場合には、カリウムをナトリウムと代替した効果がなく、根痛み等のカリウム欠乏症を助長することになる。【００２２】
一方、ナトリウム濃度が４００ｐｐｍよりも多い場合には、必要以上に作物中のナトリウム濃度が高くなり、腎臓機能の劣っている患者にとって、過度の負担が生じる可能性がある。【００２３】
本発明の低カリウム葉物野菜を栽培する方法は、水耕液のＥＣ値を、カリウム含有栽培期間、低カリウム栽培期間を通じ、０．５〜１．８に調整して栽培することを特徴とする。【００２４】
葉物野菜はＥＣ値２．２〜３．０程度で栽培することが一般的であるが、低カリウム葉物野菜の栽培では、一貫してＥＣ値が低い条件、すなわち肥料となる塩濃度が低い条件で栽培することにより、生育障害や葉の変色のようなカリウム欠乏症が生じることがない。【００２５】
本発明の低カリウム葉物野菜を栽培する方法は、水耕液のｐＨを、カリウム含有栽培期間、低カリウム栽培期間を通じ、５．０〜７．０に調整することを特徴とする。【００２６】
水耕液のｐＨが５．０〜７．０の範囲であれば、すべての肥料塩基の溶解性が良いため、水耕液の組成が安定する。その結果、収穫時の葉物野菜の品質も安定したものとなる。【００２７】
本発明の低カリウム葉物野菜を栽培する方法は、全栽培期間を通して、連続して水耕液のＥＣ値及びｐＨを一定に調整して栽培することを特徴とする。【００２８】
ＥＣ値やｐＨを常時モニターしながら栽培することは、水耕液の条件を一定にし、安定した品質の葉物野菜を栽培するうえで重要である。【００２９】
本発明の低カリウム葉物野菜を栽培する方法は、低カリウム栽培期用水耕液で栽培する期間を１０日〜１７日とすることを特徴とする。【００３０】
栽培する葉物野菜の品種によって異なるが、１０日〜１７日の栽培期間で、カリウム含有量が低く、収穫の際の重量、丈等も満足のいく大きさの野菜を安定して得ることができる。【００３１】
本発明の水耕栽培方法によって栽培した葉物野菜は、収穫時のカリウム含有量が、カリウムレベルを調整しない葉物野菜の３０％以下であることを特徴とする。【００３２】
本発明で厳密にカリウムレベルを調整した水耕液で栽培することによって、カリウムレベルを調整しない同種の葉物野菜の３０％以下のカリウムしか含有しない葉物野菜を得ることができる。【００３３】
本発明の栽培方法により、低カリウム葉物野菜を得ることができれば、カリウム摂取量を制限する必要のある腎臓病患者であっても安心して葉物野菜を食生活に取り入れることができる。【００３４】
本発明の低カリウム葉物野菜の低カリウム栽培期用水耕液は、低カリウム栽培期間中の水耕液にカリウムを５〜５０ｐｐｍ含有することを特徴とする。【００３５】
上述のとおり、後半の栽培期である低カリウム栽培期に水耕液中に５〜５０ｐｐｍのカリウムを含有させることにより、カリウム欠乏症が起こらず、安定した量及び品質の低カリウム葉物野菜が収穫できる。【００３６】
本発明の低カリウム葉物野菜の低カリウム栽培期用水耕液は、ナトリウムを２０〜４００ｐｐｍ含有させることを特徴とする。【００３７】
低カリウム野菜を栽培する場合には、通常カリウムの代替として、ナトリウムを与えている。本発明の場合にも、微量のカリウムに加えてナトリウムをカリウムの一部代替として与えるがその濃度は２０〜４００ｐｐｍが適正である。代替するナトリウムが２０ｐｐｍより少ない場合には、カリウム欠乏症を解消し、成長を促す効果が見られない。また、ナトリウム濃度が４００ｐｐｍよりも多い場合には、必要以上に作物中のナトリウム濃度が高くなり、腎臓機能の劣っている患者にとって、過度の負担が生じる可能性がある。
【図面の簡単な説明】
【００３８】
【図１】図１Ａは本発明の低カリウム葉物野菜栽培方法の概略を示す。図１Ｂは従来の低カリウム葉物野菜栽培方法の概略を示す。
【発明を実施するための形態】
【００３９】
図１に低カリウム葉物野菜栽培方法の概略を示す。葉物野菜の種子を水に浸種する。リーフレタスの場合には、浸種期間は２〜３日である。使用する水は水道水で構わない。浸種後のリーフレタスは、発芽・発根を確認し、カリウムを含有する水耕液Ａによって、一定期間栽培を行う。カリウム含有栽培期は、一般的な栽培条件を用いればよいが、栽培する葉物野菜の種類、照射する光、温度等の栽培条件によって適宜条件を設定することが好ましい。
【００４０】
カリウム含有栽培期は、例えば、特許文献１及び２で用いている水耕液を用いても良いし、一般的に水耕液として販売されている液肥を用いても構わない。リーフレタスを栽培する場合には、カリウム含有期の水耕液Ａは、カリウムを１１０〜３１５ｐｐｍ、より好ましくは１１０〜２２０ｐｐｍを含有しているものを使用することが好ましい。また、窒素は、全窒素量として８０〜１２０ｐｐｍ、リン酸として４０〜５０ｐｐｍ含有しているものが好ましい。
【００４１】
ここでは、水耕液Ａとして、全窒素量として９５ｐｐｍ、リン酸として５０ｐｐｍ、カリウムとして２１０ｐｐｍの濃度の水耕液に、マンガン、鉄、ホウ素、銅、亜鉛などの微量元素を含む水耕液を用いている。
【００４２】
従来は、図１Ｂに示すように、カリウム含有水耕液で葉物野菜が一定の草丈まで成長した後、ＫＮＯ３の代わりに、ＮａＮＯ３又はＨＮＯ３を添加したカリウムを全く含まない水耕液Ｂ’を用いて、低カリウム葉物野菜を栽培していた。
【００４３】
これに対し、本発明では図１Ａに示すように、水耕液Ｂは、カリウムを微量に含有し、また、不足分のカリウムを一部ナトリウムで代替した組成となっている。すなわち、従来の低カリウム葉物野菜の後半の栽培期間をカリウム不含有水耕液の代わりに低カリウム栽培期用水耕液で栽培を行う。微量のカリウムを添加することによって、収穫時の作物のカリウム値は低いまま維持されるが、カリウム欠乏症による生育障害が生じない（図１Ａ参照）。
【００４４】
以下、実施例を示しながら詳細に説明するが、本発明はこれらに限定されるものではない。
１．低カリウム栽培期の栽培条件
リーフレタスの種子は水道水を用いて浸種し、３日後からカリウム含有水耕液Ａを用いて２６日間栽培する。その後、カリウムとして、ＫＮＯ３を９〜３０ｐｐｍ含む低カリウム栽培期用水耕液Ｂに切り替えて栽培される。低カリウム栽培期用水耕液Ｂに切り替えた後、水耕栽培システムの規模や種類に応じて、一定期間毎に水耕液Ｂを新しい水耕液Ｂと全量交換する。例えば、２日から１０日毎に新しい水耕液Ｂと全量交換する。水耕液交換から水耕液交換の間は、ＥＣ値をモニターしながら、ＥＣ値が一定になるように管理する。
【００４５】
水耕液Ａは、一般的な水耕栽培に用いる培養液であればどのようなものを使用してもよい。葉物野菜の種類、照射する光、温度等の栽培条件によって、最適な肥料濃度、窒素、カリウム、リン酸の比を変えた肥料を用いることができる。また、鉄、銅等の微量元素に関しては、一般の水耕液に含まれている量で構わない。
【００４６】
また、低カリウム栽培期用水耕液（水耕液Ｂ）としては、カリウムの代替としてナトリウムを２０〜４００ｐｐｍ加え、窒素は９０〜１２０ｐｐｍ、リン酸は４０〜１００ｐｐｍ、他に微量元素としてホウ素、鉄、銅、亜鉛、モリブデンを含む水耕液を用いればよい。
【００４７】
ここでは、水耕液Ｂとして、窒素１０５ｐｐｍ、リン酸１００ｐｐｍ、ナトリウム１４５ｐｐｍに、微量元素として、マグネシウム、マンガン、ホウ素、銅、亜鉛、モリブデンを含む水耕液に下記の濃度のカリウムを添加して用いている。
【００４８】
下記表１のようにカリウム値を変えて低カリウム栽培期用水耕液Ｂを作成し、水耕液を低カリウム栽培期用水耕液に交換してから、１４日栽培した後収穫し、重量及びカリウム含有量を測定した。結果を表１に示す。
【００４９】
【表１】
0005887678.tif 000002
【００５０】
日本人の平均的なカリウム摂取量は２３００ｍｇ/日といわれている。これに対して、カリウム制限を受けている腎臓病患者は、１日のカリウム摂取量を１５００ｍｇに制限されている。すなわち、腎臓病患者は健常者の６５％程度にカリウムを制限する必要がある。したがって、五訂増補日本食品標準成分表（以下、日本食品標準成分表と記載する場合もある。）の６５％以下、より好ましくは５０％以下、特に好ましくは３０％以下にカリウム値がなるようにすることが好ましい。
【００５１】
日本食品標準成分表によるとリーフレタス（葉、生）は１００ｇ当たり４９０ｍｇのカリウムを含むとされている。通常の野菜の６５％以下のカリウム値（３１９ｍｇ／１００ｇ）になるように、リーフレタスを栽培するのであれば、水耕液Ｂは、４０ｐｐｍ程度のカリウムを含んでもよい。また、通常のリーフレタスの５０％（２４５ｍｇ／１００ｇ）のカリウムを含む低カリウムリーフレタスであれば、３０ｐｐｍ程度のカリウムを含有した水耕液Ｂを、３０％（１４７ｍｇ／１００ｇ）の低カリウムレタスであれば、１７ｐｐｍ程度のカリウムを含有した水耕液Ｂを用いて栽培すればよい。
【００５２】
一般にレタスをサラダとして食する場合、通常１食あたり３０〜５０ｇ程度必要である。そこで、低カリウムレタスのカリウム値が日本食品標準成分表に公表されている約１／５である１００ｍｇ／１００ｇ以下であれば、１食あたり最大でも５０ｍｇ以下に抑えることができるので、一日のカリウム摂取量を十分に低い値に抑えて献立を組むことが可能となる。１００ｍｇ／１００ｇ以下にカリウム値を維持しつつ、カリウム欠乏症が生じない生育条件に該当する栽培条件は、上記結果から水耕液に１２ｐｐｍ以下のカリウムを含有させた水耕液を用いればよいことがわかる。
【００５３】
また、例えば、カリウムを１５ｐｐｍ含有した水耕液Ｂを用いた場合、ＥＣ値を一定にして水耕液を循環しているにもかかわらず、循環している水耕液を分析すると、水耕液交換１７時間後には、４ｐｐｍ、２３時間後には２ｐｐｍ、４１時間後には検出不能であった。
【００５４】
カリウムはごく微量しか含まれていないため、選択的に植物が吸収するものと考えられる。また、ごく微量であるため、ＥＣ値には影響しないので、ＥＣ値をモニターしていてもカリウム値を管理することは困難である。したがって、栽培品種にもよるが２〜５日毎に水耕液を交換することが好ましい。小さい試験区では水耕液全部を数日毎に交換しているが、実際の工場のラインでは、数日毎に水耕液の１／３〜１／５程度を新しい水耕液と交換すればよい。
【００５５】
ここでは、流路の短い試験区で栽培しているため、低カリウム栽培期用水耕液に含有させるカリウム濃度は比較的低い値となっている。実際には、水耕栽培に用いるシステムの流路の長さや、水耕液Ｂを交換する頻度によって、含有させるカリウム値の最適範囲は異なってくる。流路の長い工場の水耕栽培システムを用いる場合には、３日毎に水耕液Ｂを交換して栽培することは実際的ではない。そこで、流路の長い水耕栽培システムにおいて、４０ｐｐｍのカリウムを含む水耕液Ｂを３〜５日毎に一部交換することにより、低カリウムリーフレタスを栽培した。その結果、カリウム欠乏症を起こさずに、１００ｍｇ／１００ｇ以下のカリウム値のレタスを収穫することができた。また、リーフレタスの場合、ナトリウムを１００〜１６０ｐｐｍの濃度で代替することにより、カリウムによる生育障害を回避できることがわかった。
【００５６】
一方、流路の短いシステムを用いて栽培する場合には、５ｐｐｍのカリウムを含む水耕液Ｂを用いることにより、低カリウムによる生育障害は起こらなかった。したがって、リーフレタスを栽培する場合には、用いる水耕栽培システムの規模によって異なるが、５〜４０ｐｐｍのカリウムを水耕液に添加すれば、カリウムによる生育障害を回避して、低カリウムレタスを収穫することができる。
【００５７】
本発明者らは、リーフレタス以外にも、ホウレンソウ、小松菜、サンチュ、エンダイブで低カリウム水耕栽培を試みている。カリウム不含有水耕液Ｂ’を用いて栽培を行った場合に、サンチュ、エンダイブはカリウム欠乏症による葉先の黄変は生じなかったが、ホウレンソウ、小松菜はカリウム欠乏症を起こした。したがって、ホウレンソウ、小松菜は、カリウム要求性が高い野菜であると考えられる。したがって、１０〜５０ｐｐｍのカリウムを添加した低カリウム栽培期用の水耕液Ｂを用いる必要があると推定される。
２．低カリウム栽培期用水耕液を用いることによる収穫量に対する効果
従来法のカリウムを全く含まない水耕液Ｂ’に肥料を切り替えてからの栽培期間が長くなるほど、野菜のカリウム値も低くなる。しかしながら、１株の重量が低下する傾向が見られた。そこで、カリウムを全く含まない水耕液に切り替えてから、経時的にカリウムと、１株の重量がどのように変化するかを解析した。
【００５８】
リーフレタスをカリウム含有水耕液で栽培した後、カリウムを全く含まない水耕液Ｂ’に交換すると、カリウム含有量は、日数が経過するほど減少していき、１０日後には日本食品標準成分表の１６．６％の値となり、十分に低い値となっていた。しかしながら、１株の重量も低下していき、水耕液Ｂ’に交換後１０日目には肥料切替時の重量の２０％程度の減少が見られた。
【００５９】
重量の減少はレタスのカリウム値が十分に低くなる前に始まっており、水耕液をカリウム不含有水耕液Ｂ’に交換してから、５日後にすでに１０日後と同定度の２０％程度の重量減少が起こっていることが明らかとなった。
【００６０】
１株あたりの重量が減少すると、結果的に収穫量の減少につながる。また、カリウム不含有水耕液Ｂ’で栽培した場合には、葉の黄変等の生育障害が散見されることは前述のとおりである。
【００６１】
次に、上記で検討したカリウムを微量に含む水耕液Ｂで栽培を行った場合の重量や草丈等の影響を解析した。
【００６２】
カリウム含有栽培期は同一の水耕液Ａを用いて栽培した後、１４日間１０ｐｐｍのカリウムを含む低カリウム栽培期用水耕液Ｂで栽培し、カリウムを全く含まないカリウム不含有水耕液Ｂ’とで夫々栽培し、重量、草丈を調べた。各３０株の平均重量、平均草丈及び各々の最大値、最小値を表２に示す。本発明の栽培方法である栽培期後半の水耕液に微量のカリウムを含有させて栽培したものを「低カリウム」、水耕液の他の組成は同一にし、カリウムを全く含有させないで栽培した従来の栽培方法によるものを「カリウム不含有」として表す。
【００６３】
【表２】
0005887678.tif 000003
【００６４】
上記結果からも明らかなように、１０ｐｐｍのカリウムを含んだ水耕液Ｂを用いて栽培を行うと、平均重量、平均草丈ともに従来法に比較して約７％ほど増加していた。
【００６５】
また、カリウム値は低カリウム栽培期用水耕液Ｂを用いたもので、５３ｍｇ／１００ｇと、カリウム不含有水耕液Ｂ’を用いたもののカリウム値５７ｍｇ／１００ｇと微量のカリウムを添加した場合でも、カリウムを全く含有しない水耕液で栽培したものと遜色ない値を得ることができた。
【００６６】
さらに、実際のラインでどの程度の不良品が出ているかを解析し、比較を行った。結果を表３に示す。
【００６７】
【表３】
0005887678.tif 000004
【００６８】
従来のようにカリウム不含有水耕液で栽培した場合には、９８９株中、２３株の不良品が発生した。不良品の内訳としては、ピンクリブが９株で最も多く、チップバーン６株、生育不良３株、残りは縁腐れその他の不良となっている。
【００６９】
一方、試験区で低カリウム栽培期用水耕液Ｂを用いて栽培した３０株に関しては、カリウム欠乏症による生育障害は見られなかった。
【００７０】
以上、示したように、低カリウム葉物野菜を栽培する際に、カリウム含有水耕液で葉物野菜を一定期間栽培し、その後カリウムを５〜５０ｐｐｍ含有した低カリウム栽培期用水耕液に代えて栽培することにより、収穫時のカリウムレベルを低く維持したまま、カリウム欠乏症を抑制して栽培することができる。また、ごく微量のカリウムを後半の栽培期でも与えるため、収穫時の１株当たりの重量も重いものが得られることから、非常に生産性良く、安定した栽培が可能となる。
【図１】
0005887678.tif 000005